(57)【特許請求の範囲】
【請求項１】
金額を入力する入力手段と、入力された金額を小切手等の被印字紙に印字する印字手段とを有するチェックライタであって、
上記印字手段が印字した文字体に重合して上記被印字紙に数字ごとに互換性のないパターンの刻みを形成する刻み形成手段を備えたことを特徴とするチェックライタ。
【請求項２】
金額を入力する入力手段と、入力された金額を小切手等の用紙の裏面側に膨出させてエンボス表示させるエンボス形成手段と、上記用紙の表面にインクを塗布するインク塗布手段とを備え、このインク塗布手段を、上記用紙の裏側に配置された送りローラと上記用紙の表側に配置されたインクローラとから構成し、送りローラの周面には、上記送りローラとインクローラとの間に上記用紙を送るときに上記用紙の裏側に突出したエンボスに当たるのを避ける溝を形成したことを特徴とするチェックライタ。
【請求項３】
金額を入力する入力手段と、入力された金額を小切手等の被印字紙に印字する印字手段とを有するチェックライタであって、
上記印字手段には印字した文字体に重合して上記被印字紙に数字ごとに予め設定された位置に孔部を形成する穿孔手段を備えたことを特徴とするチェックライタ。
【発明の詳細な説明】
【０００１】
【発明の属する技術分野】
本発明は、印字した数字が改竄されないように文字体に重合して被印字紙を加工するチェックライタに関する。
【０００２】
【従来の技術】
従来のチェックライタでは印字した数字が改竄されないように、スリットの入った数字が採用されている。
【０００３】
【発明が解決しようとする課題】
しかしながら、スリットのパターンが同じであるために、似た数字同士や数字の一部に手を加えることにより数字の改竄を行うことが可能であった。
【０００４】
本発明は上記問題点を解消し、印字した文字体に重合して同じ数字以外は互換性のない加工を被印刷物に施し、改竄防止に有効なチェックライタを提供することをその課題とする。
【０００５】
【課題を解決するための手段】
前記課題を解決するため、第一の発明に係るチェックライタは、金額を入力する入力手段と、入力された金額を小切手等の被印字紙に印字する印字手段とを有するチェックライタであって、
上記印字手段が印字した文字体に重合して上記被印字紙に数字ごとに互換性のないパターンの刻みを形成する刻み形成手段を備えたことを特徴とする。
【０００６】
第二の発明に係るチェックライタは、金額を入力する入力手段と、入力された金額を小切手等の用紙の裏面側に膨出させてエンボス表示させるエンボス形成手段と、上記用紙の表面にインクを塗布するインク塗布手段とを備え、このインク塗布手段を、上記用紙の裏側に配置された送りローラと上記用紙の表側に配置されたインクローラとから構成し、送りローラの周面には、上記送りローラとインクローラとの間に上記用紙を送るときに上記用紙の裏側に突出したエンボスに当たるのを避ける溝を形成したことを特徴とする。
【０００７】
第三の発明に係るチェックライタは、金額を入力する入力手段と、入力された数字を小切手等の被印字紙に金額として印字する印字手段とを有するチェックライタであって、
上記印字手段には印字した文字体に重合して上記被印字紙に数字ごとに予め設定された位置に孔部を形成する穿孔手段を備えたことを特徴とする。
【０００８】
【発明の実施の形態】
以下、図面によって本発明の実施の形態について説明する。
【０００９】
図１はチェックライタを示し、このチェックライタは金額を入力する数字キー２及び発行、累計等の操作キー３とからなる入力手段であるキーボード部１と、入力したデータを表示する液晶表示装置からなる表示部４と、入力したデータを小切手等の被印字紙１０に印字する印字手段５と、該印字手段５が印字した印字体に刻みを入れる刻み形成手段Ａと、上記キーボード部１、表示部４及び印字手段５を制御する制御部６とを有し、このチェックライタはキーボード部１から入力した数字を表示部４に表示するとともに発行の操作キー３を操作することにより印字台７上に載せた小切手等の被印字紙１０に印字手段５が金額として記号（￥、，及び※）とともに自動的に文字体を印字（例えば１２３４５と入力した場合は￥１２，３４５※と印字）し、この印字体に重合して上記被印字紙１０に刻みを形成するように設けられている。
【００１０】
ところで、上記印字手段５は図２に示すように、横方向に少なくとも１５個並設された活字輪５１と、活字輪５１に接して活字５１ａにインクを塗布するインクローラ５２とで構成され、上記活字輪５１には０〜９の数字、カンマ（，）、金額マーク（￥）及びエンドマーク（※）が刻まれた活字５１ａが周方向に所定のピッチで形成されている。
【００１１】
上記刻み形成手段Ａは上記活字輪５１に周面が対向して配置された金属の円板状のプラテン５３で構成され、このプラテン５３は活字輪５１と同数並設され、各プラテン５３の周面には上記活字５１ａに対応して周方向に所定のピッチで印台５３ａが活字５１ａと同数形成され、印字輪５１に同期して回転するように設けられている。
【００１２】
印台５３ａの表面には図３に示すように断面ジグザグ状で表面視は縞模様のパターンａが形成され、このパターンａは印台５３ａごとに全て異なったパターンで構成され、パターン間では互いに互換性がないように縞模様の角度θが印台５３ａごとに変えられている。
【００１３】
そして、このプラテン５３は活字輪５１が回転すると中間歯車（図示せず）を介して活字輪５１と同期をとって活字５１ａと印台５３ａとの組み合わせが常に同じになるように回転し、印字台７の開口部７ａから露出した印台５３ａには、該印台５３ａに対応した活字５１ａが常に対向するように設けられている。
【００１４】
上記制御部６は上記活字輪５１を駆動してキーボード部１から入力された数字に対応して活字５１ａを選択し、すべての活字５１ａが選択されると選択された活字輪５１は被印字紙１０上に同時に打ち下ろされて一斉に金額を印字するように設けられている。
【００１５】
上記構成のチェックライタによれば、キーボード部１から金額を入力した後、発行の操作キー３を押すと、制御部６は入力した桁数及び記号（￥、，及び※）の印字輪５１、５１、・・を選択するとともに、選択した印字輪５１をそれぞれ回転させて入力した数字と記号との活字５１ａを選択し、入力した全ての数字に対応した活字５１ａを選択すると印字輪５１を印台５３ａ上の被印刷物１０に打ちつけて文字体を印字する。
【００１６】
この時、プラテン５３は印字輪５１に同期して回転し、活字５１ａに対応した印台５３ａが印字台７の開口部７ａから露出する位置にセットされるので、被印字紙１０には図４（ａ）に示すように、文字体ａに重合して該文字体ａと対のパターン（縞模様）ｐで刻みを形成することができる。
【００１７】
上述のように被印字紙上には印字手段で文字体を印字するとともにこの印字体に重合して刻み形成手段が文字体と対のパターンを刻むので、数字を修正することはできても刻まれたパターンを修正することはできないので、改竄防止に有効なチェックライタを提供することができる。
【００１８】
なお、図４（ｂ）に示すようにパターンｐの間隔Ｔと角度θとを組み合わせて数字ごとにパターンｐを変えて文字体ａが印字されるように印台を形成してもかまわない。
【００１９】
さらに、印台に形成されるパターンは縞模様に限定されることなく格子模様でもかまわない。
【００２０】
また、活字５１ａを図５（ａ）に示すように縞模様に形成し、図３に示す印台５３ａと組み合わせて印字するようにしてもよい。このことにより、図５（ｂ）に示すように文字体ａと刻まれたパターンｐとが複雑に組み合わさって、改竄をさらに難しくすることができる。
【００２１】
次に、エンボス形成手段を備えたチェックライタについて説明する。
【００２２】
図６はエンボス形成手段Ｂ及びインク塗布手段Ｃの要部の側面図を示し、このエンボス形成手段Ｂは活字受け６０とドットソレノイドピン６１とで構成され、図１に示す入力手段（キーボード部１）を介して入力された数字は制御部６でドットパターンに変換されドットソレノイドピン６１を数字のドットパターンに対応して駆動しながら被印字紙１０を搬送ローラ６２で送ることにより被印字紙１０を裏面１０ｂ側に膨出させて金額をエンボス６５で表示するように設けられている（図７参照）。
【００２３】
インク塗布手段Ｃは上記エンボス形成手段Ｂの後方の行程に配置され、送りローラ６３とインクローラ６４とで構成されている。送りローラ６３は図７に示すように被印字紙１０の裏面１０ｂ側（上側）に配置され略中央周面の周方向にはエンボス６５の深さと等しい溝６３ａが形成され、一旦形成されたエンボス６５をつぶすことなく送り出すように設けられ、インクローラ６４は被印字紙１０の表面（１０ａ）側（下側）に帯状にインク６６を塗布するように設けられている（図８参照）。
【００２４】
上記構成のチェックライタによればキーボード部から入力された金額は発行の操作キーを押すことにより制御部が搬送ローラ６２を駆動しながらドットソレノイドピン６１を作動させて被印字紙１０上に金額をエンボス形成する。エンボス６５が形成された被印字紙１０は搬送ローラ６２で更に搬送され、インクローラ６４で表面１０ａに帯状にインク６６が塗布される。この時被印字紙１０には、エンボス６５が形成されているのでエンボス６５部分にはインク６６が塗布されず、図９に示すように金額が白抜きで表示される。
【００２５】
なお、被印字紙１０の表面１０ａを下側にしてインクを塗布するのでエンボス６５内にインクが流れ込むことはなく金額を鮮明に表示することができる。
【００２６】
上述のように印字された金額はエンボスで表示されるとともに、該エンボス部分にはインクが塗布されていないので、改竄する場合はエンボスの修正とインク塗布部分の修正をしなければならず、数字の修正は極めて難しくなり改竄防止に有効なチェックライタを実現することができる。
【００２７】
なお、上述のエンボス形成手段ではドットソレノイドピンを使用してエンボスを形成したが、このエンボス形成手段は周方向に所定のピッチで活字を配列した活字輪（図示せず）で構成してもかまわない。
【００２８】
次に、文字体に重合して孔部を形成する穿孔手段を備えたチェックライタについて説明する。
【００２９】
図１０はチェックライタの印字部９の構成を示し、この印字部９は周方向に所定のピッチで活字を配列した活字輪９１と、活字輪９１に接して活字にインクを塗布するインクローラ９２と、活字輪９１に対向して配置された印台９３とからなり、上記活字輪は横方向に少なくとも１５個並設され、図１に示す入力手段（キーボード部１）を介して入力された数字は制御部６により活字輪９１がキーボード部１から入力された数字に対応して選択され、すべての活字９１ａが選択されると選択された活字輪９１は被印字紙１０上に同時に打ち下ろされて一斉に金額を印字するように設けられている。
【００３０】
ところで、上記活字輪９１には穿孔手段Ｄが設けられている。この穿孔手段Ｄは図１１に示すように、活字９１ａの表面に突出して形成された複数の凸部９４で構成され、印字した時に文字体ａに重合して被印字紙１０に孔９５を穿孔するように設けられている（図１２参照）。上記凸部９４は数字ごとに決められた位置に同じ数（例えば３個）形成され、これらの凸部９４は各数字の特徴的な位置に形成されている。
【００３１】
上記構成のチェックライタによればキーボード部から入力された金額は発行の操作キーを押すことにより、制御部により入力された数字に対応した活字９１ａが選択され、活字９１ａが選択された活字輪９１が印台９３に打ち込まれると被印字紙１０に文字体ａが印字されるとともに、この印字体ａに重合して穿孔手段Ｄ（凸部９４）により孔９５が穿孔される。
【００３２】
上述のように、活字９１ａで被印字紙１０上に印字された文字体ａには数字ごとに異なる位置に孔９５が開いているので、印字部分を修正しても孔９５の位置は修正することができないので改竄防止に最適なチェックライタを実現することができる。
【図面の簡単な説明】
【図１】本発明に係るチェックライタの使用状態を示す斜視図
【図２】印字部の構成の要部を示す側面図
【図３】印台のパターンの一例を示す斜視図
【図４】（ａ）（ｂ）は文字体の印字状態図
【図５】（ａ）（ｂ）は活字の他の例を示す斜視図及び印字状態図
【図６】チェックライタの他の例の構成の要部を示す側面図
【図７】上記他の例のチェックライタのインク塗布手段を示す斜視図
【図８】上記他の例のチェックライタによる被印字紙の状態を説明する縦断面図
【図９】上記他の例のチェックライタによる印字状態図
【図１０】更に他の例の印字部の構成の要部を示す側面図
【図１１】上記印字部の活字を示す斜視図
【図１２】上記印字部による文字体の印字状態図
【符号の説明】
１  キーボード部（入力手段）
２  数字キー
３  操作キー
４  表示部
５  印字手段
６  制御部
１０  被印字紙
５１  印字輪
５１ａ  活字
５３  プラテン
５３ａ  イン台
Ａ  刻み形成手段
Ｂ  エンボス形成手段
Ｃ  インク塗布手段
Ｄ  穿孔手段
【図１】
0003596146.tif 000002
【図２】
0003596146.tif 000003
【図３】
0003596146.tif 000004
【図４】
0003596146.tif 000005
【図５】
0003596146.tif 000006
【図６】
0003596146.tif 000007
【図７】
0003596146.tif 000008
【図８】
0003596146.tif 000009
【図９】
0003596146.tif 000010
【図１０】
0003596146.tif 000011
【図１１】
0003596146.tif 000012
【図１２】
0003596146.tif 000013